(57)【要約】【課題】ボケの形状の違和感を少なくするとともに、周辺光量の低下を抑制可能なレンズ装置およびこれを備える撮像装置を提供すること。【解決手段】レンズ装置は、互いに異なる保持部材により保持される複数のレンズユニットと、撮像装置に電気的に接続するための接点部材と、複数のレンズユニットの光軸方向において、複数のレンズユニットのうち最も像側に位置する最終レンズユニットの物体側の端面と、接点部材の像側の端面との間に配置され、接点部材により遮光される光束の量を抑制するための遮光部材と、を有する。【選択図】図７
2020086201.tif 000002
【特許請求の範囲】
【請求項１】
互いに異なる保持部材により保持される複数のレンズユニットと、
撮像装置に電気的に接続するための接点部材と、
前記複数のレンズユニットの光軸方向において、前記複数のレンズユニットのうち最も像側に位置する最終レンズユニットの物体側の端面と、前記接点部材の像側の端面との間に配置され、前記接点部材により遮光される光束の量を抑制するための遮光部材と、を有することを特徴とするレンズ装置。
【請求項２】
前記遮光部材の内周は、前記複数のレンズユニットの光軸を中心とする第１の値を半径とする第１円弧と、前記光軸を中心とする前記第１の値より長い第２の値を半径とする第２円弧と、前記第１円弧と前記第２円弧とを接続し、直線または曲線で形成される接続部と、から構成されることを特徴とする請求項１に記載のレンズ装置。
【請求項３】
前記遮光部材は、円形状であることを特徴とする請求項１または２に記載のレンズ装置。
【請求項４】
前記遮光部材は、半円形状であることを特徴とする請求項１または２に記載のレンズ装置。
【請求項５】
前記遮光部材は、周辺像高に到達する光束の一部を遮光することを特徴とする請求項１から４のいずれか１項に記載のレンズ装置。
【請求項６】
前記遮光部材は、光軸方向において前記接点部材の被写体側の端面と前記接点部材の像側の端面との間に配置されていることを特徴とする請求項１から５のいずれか１項に記載のレンズ装置。
【請求項７】
前記複数のレンズユニットのＦ値は、２．０以下であることを特徴とする請求項１から６のいずれか１項に記載のレンズ装置。
【請求項８】
前記複数のレンズユニットのＦ値は、１．５以下であることを特徴とする請求項１から７のいずれか１項に記載のレンズ装置。
【請求項９】
請求項１から８のいずれか１項に記載のレンズ装置と、
前記レンズ装置を介して形成された光学像を光電変換する撮像素子を保持するカメラ本体と、を有することを特徴とする撮像装置。
【発明の詳細な説明】
【技術分野】
【０００１】
本発明は、レンズ装置およびこれを備える撮像装置に関する。
【背景技術】
【０００２】
従来、交換レンズ等のレンズ鏡筒において、ゴーストやフレアなどの有害光を低減させるために、フレアカットを配置した光学系が使用されている。特許文献１には、光束を通過させる開口部の形状が回転対称な形状であるフレアカット部材が開示されている。
【先行技術文献】
【特許文献】
【０００３】
【特許文献１】国際公開第２０１６／１２１０３３号
【発明の概要】
【発明が解決しようとする課題】
【０００４】
レンズ鏡筒とカメラとを電気的に接続し、互いに通信させる構成において、レンズ鏡筒に設けられた電気的な接続部はスペース効率の観点から矩形の撮像面の短辺側に対応する位置に配置される。また、電気的な接続部は、カメラが複数のレンズ鏡筒を取り付けることができるように、他のレンズ鏡筒に設けられた電気的な接続部と同形状に構成されている。このような状態で、レンズ径が大きく、光束が大きな角度で入射する構成では、電気的な接続部により周辺光量が低下するとともに、光束が一部ケラレてしまうため、ボケの形状が違和感のある形になる可能性がある。特許文献１の構成を使用した場合、電気的な接続部以外の位相においても周辺光量が低下してしまう。
【０００５】
本発明は、ボケの形状の違和感を少なくするとともに、周辺光量の低下を抑制可能なレンズ装置およびこれを備える撮像装置を提供することを目的とする。
【課題を解決するための手段】
【０００６】
本発明の一側面としてのレンズ装置は、互いに異なる保持部材により保持される複数のレンズユニットと、撮像装置に電気的に接続するための接点部材と、複数のレンズユニットの光軸方向において、複数のレンズユニットのうち最も像側に位置する最終レンズユニットの物体側の端面と、接点部材の像側の端面との間に配置され、接点部材により遮光される光束の量を抑制するための遮光部材と、を有することを特徴とする。
【発明の効果】
【０００７】
本発明によれば、ボケの形状の違和感を少なくするとともに、周辺光量の低下を抑制可能なレンズ装置およびこれを備える撮像装置を提供することができる。
【図面の簡単な説明】
【０００８】
【図１】本発明の実施形態に係るレンズ鏡筒を有する撮像装置の概略図である。
【図２】レンズ鏡筒の断面図である。
【図３】レンズ鏡筒のマウント側の部分の拡大図である。
【図４】レンズ鏡筒の背面図である。
【図５】図４の領域Ａの拡大図である。
【図６】レンズ鏡筒に設けられた複数のレンズユニットの断面図である。
【図７】遮光部材の正面図である。
【図８】撮像面の像高が高い範囲を示す図である。
【図９】撮像面の右上の像高が高い範囲のボケの形状を示す図である。
【図１０】撮像面の左下の像高が高い範囲のボケの形状を示す図である。
【図１１】遮光部材が配置されていない場合の撮像面の左下の像高が高い範囲のボケの形状を示す図である。
【図１２】遮光部材の変形例である。
【発明を実施するための形態】
【０００９】
以下、本発明の好ましい実施の形態を、添付の図面に基づいて詳細に説明する。各図において、同一の部材については同一の参照番号を付し、重複する説明は省略する。
【００１０】
図１は、本発明の実施形態に係るレンズ鏡筒（レンズ装置）１００を有する撮像装置ＩＡの概略図である。レンズ鏡筒１００は、撮像光学系ＩＯＳを保持する。カメラ本体ＣＢは、撮像素子（光電変換素子）ＩＥを保持する。撮像素子ＩＥは、レンズ鏡筒１００を介して形成された光学像を光電変換する。レンズ鏡筒１００は、カメラ本体ＣＢと一体的に構成されていてもよいし、カメラ本体ＣＢに着脱可能に取り付けられるように構成されていてもよい。また、レンズ鏡筒１００が撮像素子ＩＥを保持していてもよい。
【００１１】
図２は、レンズ鏡筒１００の断面図である。図３は、レンズ鏡筒１００のマウント側の部分の拡大図である。図４は、レンズ鏡筒１００の背面図である。図５は、図４の領域Ｂの拡大図である。図６は、レンズ鏡筒１００に設けられた複数のレンズユニットの断面図である。
【００１２】
本実施形態では、複数のレンズユニットは、第１レンズ群Ｌ１、第２レンズ群Ｌ２および第３レンズ群（最終レンズユニット）Ｌ３を備え、ズーミングまたはフォーカシングの際に隣接するレンズ群間の間隔が変化するように構成されている。なお、複数のレンズユニット全体が隣接するレンズ群間の間隔が維持された状態で繰り出されることでフォーカシングが行われてもよい。また、本実施形態では、複数のレンズユニットのＦ値は、２．０以下であることが望ましい。複数のレンズユニットのＦ値は、１．５以下であることがより望ましい。
【００１３】
第１レンズ保持枠１は、第１レンズ群Ｌ１を保持する保持部材であり、案内筒５の先端にビスで固定されている。第２レンズ群Ｌ２は、複数のレンズユニットの光軸方向に沿って移動するフォーカス群であり、レンズ群Ｌ２ａ，Ｌ２ｂから構成される。レンズ保持枠２ａは、レンズ群Ｌ２ａを保持する保持部材であり、案内筒５の外周側に保持されたカム環４によりコロでつられている。レンズ保持枠２ｂは、レンズ群Ｌ２ｂを保持する保持部材である。第３レンズ保持枠３は、複数のレンズユニットに含まれるレンズのうち最も像側（マウント側）に配置されたレンズＧ１を含む第３レンズ群Ｌ３を保持する保持部材であり、案内筒５にビスで固定されている。
【００１４】
案内筒５は、外装環１１にビスで固定されている。絞り装置６は、レンズ保持枠２ａに固定されている。絞り装置６は、駆動源であるモーター（不図示）を備え、モーターが駆動することで内蔵する絞り羽根の開口面積を変化させて光量を調節する。基板７は、外装環１１にビスで固定されている。基板７には電子部品が実装されており、基板７に搭載されたマイクロコンピュータは各種駆動制御を行う。また、基板７は、絞り装置６や後述する接点部材９に電気的に接続されている。
【００１５】
マウント８は、外装環１１にビスで固定されている。マウント８の外周には、カメラ本体ＣＢとバヨネット結合する爪部が設けられている。本実施形態では、レンズ鏡筒１００は、マウント８を介してカメラ本体ＣＢに着脱可能に取り付けられる。接点部材９は、スペース効率の観点からマウント８の内周の、撮像素子ＩＥの撮像面の短辺側に対応する位置に配置され、マウント８にビスで固定されている。接点部材９は、レンズ鏡筒１００がカメラ本体ＣＢに取り付けられた場合に、カメラ本体ＣＢに設けられた接点部（不図示）に電気的に接続される接点部を有する。レンズ鏡筒１００およびカメラ本体ＣＢの接点部が接続されることで、レンズ鏡筒１００はカメラ本体ＣＢと通信を行ったり、カメラ本体ＣＢからの電源供給を受けたりすることができる。裏蓋１０は、マウント８に周方向からビスで固定されている。本実施形態では、裏蓋１０は、接点部材９と同様にマウント８に固定されているため、接点部材９の一部として取り扱う。遮光部材１２は、光軸方向において、第３レンズ群Ｌ３の被写体側（物体側）の端面と接点部材９の像側の端面との間（図２の範囲Ａ）に配置され、第３レンズ保持枠３に固定されている。遮光部材１２は、接点部材９により遮光される光束の量を抑制するように、周辺像高に到達する光束の一部を遮光する。遮光部材１２を配置することで、撮像素子ＩＥに入射する光束が接点部材９付近の部材ではなく、遮光部材１２により決定される。すなわち、像高の高い範囲のボケの形状は、遮光部材１２の内周の形状により決定される。なお、遮光部材１２は、光軸方向において、接点部材９の被写体側の端面と接点部材９の像側の端面との間に配置されていることがより望ましい。
【００１６】
以下、図７を参照して、遮光部材１２の構成について説明する。図７は、遮光部材１２の正面図である。遮光部材１２は、撮像面の短辺と平行で複数のフォーカスレンズの光軸の中心を通る直線１３に対して略線対称となるように形成されている。遮光部材１２の内周は、光軸を中心とする半径（第１の値）Ｒ１の第１円弧、光軸を中心とする、半径Ｒ１より長い半径（第２の値）Ｒ２の第２円弧、および第１円弧と第２円弧とを接続する接続部Ｃから構成される。接続部Ｃは、直線または曲線で形成されている。
【００１７】
図８は、撮像面の像高が高い範囲を示す図である。図９は、図８の撮像面の左下の像高が高い範囲１４ａのボケの形状１６を示す図である。図１０は、図８の撮像面の右上の範囲１５ａのボケの形状１７を示す図である。範囲１４ａのボケの形状１６は、遮光部材１２の内周の第１円弧および接続部Ｃにより決定される。範囲１５ａのボケの形状１７は、遮光部材１２の内周の第２円弧により決定される。なお、撮像面の右下の像高が高い範囲１４ｂのボケの形状は、ボケの形状１６と左右対称である。また、撮像面の左上の像高が高い範囲１５ｂのボケの形状は、ボケの形状１７と左右対称である。
【００１８】
仮に、遮光部材１２が配置されていない場合、例えば、撮像面の左下の像高が高い範囲のボケの形状は、裏蓋１０の内周の形状１８，１９、および第３レンズ保持枠３の内周の形状２０により決定され、図１１に示されるボケの形状になる。ボケの形状２１，２２，２３はそれぞれ、裏蓋１０の内周の形状１８，１９、および第３レンズ保持枠３の内周の形状２０に対応する。図１１に示されるボケの形状は、角ばっている箇所があり、違和感のある形状である。
【００１９】
本実施形態では、前述したように、像高の高い範囲のボケの形状は、遮光部材１２の内周の形状により決定される。遮光部材１２の内周には角ばっている箇所がないため、ボケの形状１６，１７は違和感が少ない形状である。また、ボケの形状１６，１７の差が目立たなくなる。また、半径Ｒ１の第１円弧に対応する範囲１４ａにおける周辺光量の低下に比べて、半径Ｒ１より長い半径Ｒ２の第２円弧に対応する範囲１５ａにおける周辺光量の低下を少なくすることができる。
【００２０】
また、本実施形態では、遮光部材１２の内周は接点部材９付近のボケの形状の違和感を完全になくすように、すなわち接点部材９に到達する光束を完全に遮光するように構成されているが、本発明はこれに限定されない。遮光部材１２が配置されていない場合のボケの形状の違和感に比べてボケの形状の違和感が少なくなるように、すなわち接点部材９に到達する光束の少なくとも一部を遮光するように構成されていればよい。
【００２１】
また、本実施形態では、遮光部材１２の形状は図７に示されるように円形状であるが、図１２に示されるように第１円弧および接続部Ａ１側とは反対側の円弧をなくした半円形状であってもよい。この場合も遮光部材１２は、撮像面の短辺と平行で光軸の中心を通る直線１３に対して略線対称となるように形成されている。これにより、ボケの形状の違和感を少なくしつつ、周辺光量の低下をより抑制することが可能となる。
【００２２】
以上説明したように、本実施形態の構成によれば、ボケの形状の違和感を少なくするとともに、周辺光量の低下を抑制可能なレンズ装置およびこれを備える撮像装置を提供することができる。
【００２３】
以上、本発明の好ましい実施形態について説明したが、本発明はこれらの実施形態に限定されず、その要旨の範囲内で種々の変形及び変更が可能である。
【符号の説明】
【００２４】
１      第１レンズ保持枠（保持部材）
２ａ    レンズ保持枠（保持部材）
２ｂ    レンズ保持枠（保持部材）
３      第３レンズ保持枠（保持部材）
９      接点部材
１０    裏蓋（接点部材）
１２    遮光部材
１００  レンズ鏡筒
Ｌ１    第１レンズ群
Ｌ２    第２レンズ群
Ｌ３    第３レンズ群
【図１】
2020086201.tif 000003
【図２】
2020086201.tif 000004
【図３】
2020086201.tif 000005
【図４】
2020086201.tif 000006
【図５】
2020086201.tif 000007
【図６】
2020086201.tif 000008
【図７】
2020086201.tif 000009
【図８】
2020086201.tif 000010
【図９】
2020086201.tif 000011
【図１０】
2020086201.tif 000012
【図１１】
2020086201.tif 000013
【図１２】
2020086201.tif 000014